(57)【要約】【課題】火災受信機及び非常電話装置の設置に係る領域を小さくすることのできる火災報知システム、分散型火災報知システム、火災受信機、及び電話中継器を得る。【解決手段】火災感知器に伝送線を介して接続され、非常電話の電話親機を有する火災受信機と、１以上の電話子機が接続される電話中継器とを備え、火災受信機と電話中継器とは、伝送線を介して接続され、かつ電話線を介して接続されており、電話中継器は、１以上の電話子機のうちのいずれかから着信があった場合、着信があった電話子機を特定する情報を、伝送線を介して火災受信機に送信する。【選択図】図１
2020166474.tif 000002
【特許請求の範囲】
【請求項１】
火災感知器に伝送線を介して接続され、非常電話の電話親機を有する火災受信機と、
１以上の電話子機が接続される電話中継器とを備え、
前記火災受信機と前記電話中継器とは、前記伝送線を介して接続され、かつ電話線を介して接続されており、
前記電話中継器は、前記１以上の電話子機のうちのいずれかから着信があった場合、着信があった前記電話子機を特定する情報を、前記伝送線を介して前記火災受信機に送信する
火災報知システム。
【請求項２】
前記電話中継器は、前記電話線の断線を検出する断線検出回路を備え、
前記火災受信機は、前記電話中継器に対して前記伝送線を介して断線検出信号を送信し、
前記電話中継器は、前記断線検出信号を受信すると、前記断線検出回路を作動させて前記電話線の断線を検出する
請求項１記載の火災報知システム。
【請求項３】
前記電話中継器は、感知器又は前記火災受信機からの信号に基づいて作動する設備機器からの信号が入力される信号入力回路を備えた
請求項１又は請求項２に記載の火災報知システム。
【請求項４】
前記火災受信機は、画面表示装置を備え、
前記火災感知器からの火災検出の信号と、前記電話中継器からの着信信号と、のいずれかが入力された場合には、前記画面表示装置の第１領域に、入力された前記火災検出の信号又は前記着信信号に対応する画面が表示され、
前記火災検出の信号と前記着信信号との両方が入力された場合には、前記第１領域の一部に前記火災検出の信号に対応する画面が表示され、前記第１領域の残りの部分に前記着信信号に対応する画面が表示される
請求項１〜請求項３のいずれか一項に記載の火災報知システム。
【請求項５】
前記火災受信機は、非常放送設備と接続される複数の接続端子と、
前記複数の接続端子を特定する情報と、前記電話中継器を特定する情報と、前記電話中継器に接続される前記電話子機を特定する情報と、を関連づけて記憶するデータベースとを備えた
請求項１〜請求項４のいずれか一項に記載の火災報知システム。
【請求項６】
火災感知器に第１伝送線を介して接続される火災受信機と、
火災感知器に第２伝送線を介して接続される主中継器と、
１以上の電話子機が接続される電話中継器とを備え、
前記火災受信機は、電話親機を備え、
前記火災受信機と前記主中継器とは、通信ネットワークを介して接続され、
前記主中継器と前記電話中継器とは、前記第２伝送線を介して接続され、かつ電話線を介して接続されており、
前記電話中継器の前記１以上の電話子機のうちのいずれかから着信があった場合に、着信があった前記電話子機を特定する情報が、前記第２伝送線及び前記通信ネットワークを介して、前記火災受信機によって受信され、
前記電話親機と前記電話子機との間で、前記電話中継器を介して通話が行われる
分散型火災報知システム。
【請求項７】
火災感知器に伝送線を介して接続されるとともに、電話子機が接続される電話中継器と電話線を及び前記伝送線を介して接続される火災受信機であって、
電話親機と、
前記電話親機から入力される音声を音声信号として前記電話線に送信する電話回路とを備え、
前記伝送線を介して、前記電話中継器に接続された前記電話子機を特定する情報を取得し、前記電話親機と前記電話中継器に接続された前記電話子機との間で、前記電話線を介して通話が行われる
火災受信機。
【請求項８】
伝送線を介して火災感知器と接続される火災受信機に接続される電話中継器であって、
前記伝送線を介して前記火災受信機と接続される伝送回路と、
電話線を介して前記火災受信機と接続される電話回路と、
電話子機が接続される電話回路と備え、
前記伝送回路は、前記複数の電話ジャックのいずれかに接続された前記電話子機から着信があった場合、着信があった前記電話子機を特定する情報を前記伝送線に出力する
電話中継器。
【発明の詳細な説明】
【技術分野】
【０００１】
本発明は、非常電話用の電話親機と電話子機とで通話を行う火災報知システム、分散型火災報知システム、火災受信機、及び電話中継器に関する。
【背景技術】
【０００２】
従来、電話親機を有し、分散して設置される非常電話用の電話子機と電話親機とで通話可能な非常電話装置がある（たとえば、特許文献１参照）。
【先行技術文献】
【特許文献】
【０００３】
【特許文献１】特開平５−２０５８５号公報
【発明の概要】
【発明が解決しようとする課題】
【０００４】
特許文献１に記載の非常電話装置は、火災受信機の近傍に火災受信機とは別の装置として設置される。したがって、火災受信機と非常電話装置とを設置するためには、これら２台の装置を設置するためのスペースが必要であった。このため、火災受信機が設置される部屋の大きさによっては、非常電話装置の設置を断念せざるを得ないこともある。火災受信機とは別の部屋に非常電話装置を設置することも考えられるが、火災受信機と非常電話装置を一人で操作することが困難になってしまう。
【０００５】
本発明は、上記のような課題を背景としたものであり、火災受信機及び非常電話装置の設置に係る領域を小さくすることのできる火災報知システム、分散型火災報知システム、火災受信機、及び電話中継器を提供するものである。
【課題を解決するための手段】
【０００６】
本発明に係る火災報知システムは、火災感知器に伝送線を介して接続され、非常電話の電話親機を有する火災受信機と、１以上の電話子機が接続される電話中継器とを備え、前記火災受信機と前記電話中継器とは、前記伝送線を介して接続され、かつ電話線を介して接続されており、前記電話中継器は、前記１以上の電話子機のうちのいずれかから着信があった場合、着信があった前記電話子機を特定する情報を、前記伝送線を介して前記火災受信機に送信するものである。
本発明に係る分散型火災報知システムは、火災感知器に第１伝送線を介して接続される火災受信機と、火災感知器に第２伝送線を介して接続される主中継器と、１以上の電話子機が接続される電話中継器とを備え、前記火災受信機は、電話親機を備え、前記火災受信機と前記主中継器とは、通信ネットワークを介して接続され、前記主中継器と前記電話中継器とは、前記第２伝送線を介して接続され、かつ電話線を介して接続されており、前記電話中継器の前記１以上の電話子機のうちのいずれかから着信があった場合に、着信があった前記電話子機を特定する情報が、前記第２伝送線及び前記通信ネットワークを介して、前記火災受信機によって受信され、前記電話親機と前記電話子機との間で、前記電話中継器を介して通話が行われるものである。
本発明に係る火災受信機は、火災感知器に伝送線を介して接続されるとともに、電話子機が接続される電話中継器と電話線を及び前記伝送線を介して接続される火災受信機であって、電話親機と、前記電話親機から入力される音声を音声信号として前記電話線に送信する電話回路とを備え、前記伝送線を介して、前記電話中継器に接続された前記電話子機を特定する情報を取得し、前記電話親機と前記電話中継器に接続された前記電話子機との間で、前記電話線を介して通話が行われるものである。
本発明に係る電話中継器は、伝送線を介して火災感知器と接続される火災受信機に接続される電話中継器であって、前記伝送線を介して前記火災受信機と接続される伝送回路と、電話線を介して前記火災受信機と接続される電話回路と、電話子機が接続される電話回路と備え、前記伝送回路は、前記複数の電話ジャックのいずれかに接続された前記電話子機から着信があった場合、着信があった前記電話子機を特定する情報を前記伝送線に出力するものである。
【発明の効果】
【０００７】
本発明によれば、火災受信機とは別に非常電話装置を設置しなくてよい。このため、従来と比べて小さい設置領域に、火災受信機と非常電話装置の機能を備えた装置を設置することができる。
【図面の簡単な説明】
【０００８】
【図１】実施の形態１に係る火災報知システム１の構成を説明する図である。
【図２】実施の形態１に係る火災受信機の構成を説明する図である。
【図３】実施の形態１に係るデータベース２６１を説明する図である。
【図４】実施の形態１に係る電話中継器４０の構成を説明する図である。
【図５】実施の形態１に係る操作表示部１２の表示例を説明する図である。
【図６】実施の形態２に係る分散型火災報知システム１００のシステム構成図である。
【図７】実施の形態２に係る火災受信機１０の構成を説明する図である。
【図８】実施の形態２に係る主中継器８０の構成を説明する図である。
【発明を実施するための形態】
【０００９】
以下、本発明の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す装置は、本発明の装置の一例を示すものであり、図面に示された装置によって本発明の装置が限定されるものではない。また、各図において、同一の符号を付したものは、同一の又はこれに相当するものであり、これは明細書の全文において共通している。各図面では、各構成部材の相対的な寸法関係又は形状等が実際のものとは異なる場合がある。
【００１０】
実施の形態１．
（火災報知システム１のシステム構成）
図１は、実施の形態１に係る火災報知システム１の構成を説明する図である。火災報知システム１は、火災受信機１０と、電話中継器４０とを備える。火災受信機１０には非常電話用の電話親機１４が設けられており、この電話親機１４と電話中継器４０に接続される電話子機４との間で通話が可能である。火災受信機１０には、伝送線５を介して火災感知器２が設置されている。図１の例では、複数の伝送線５が火災受信機１０に接続され、伝送線５のそれぞれに火災感知器２が接続されている。さらに伝送線５には、図示しない接点式等の所謂Ｐ型の火災感知器が火災を検出したことを捉え火災受信機１０に火災信号を送信する感知器用中継器３が接続されうる。火災感知器２は、火災に伴う物理変化を検知すると、火災であることを示す火災信号を伝送線５に送信する。火災信号は、火災感知器２を特定できる情報（例えばアドレス番号）を含み、火災受信機１０は、火災発生場所を特定することができる。また、火災信号を受けた火災受信機１０は、ブザーまたはライトなどの報知装置、防火扉またはシャッターなどの防排煙装置、または消火設備などの端末機器に、火災の発生を知らせる信号を出力して、端末機器を動作させる。さらに本実施の形態の火災受信機１０には、非常放送設備６０が接続される。非常放送設備６０は、火災感知器２が作動したとき、火災受信機１０にて火災の発生が確認されたときなどに、建物内に非常放送を行う装置である。
【００１１】
火災受信機１０の外郭を構成する筐体１１には、操作表示部１２と、操作ボタン１３と、電話親機１４とが設けられている。操作表示部１２は、例えばタッチパネルを備えた液晶ディスプレイであり、作業者の操作を受け付けるとともに、火災の発生を知らせる情報を、文字あるいは図形によって表示する画面表示装置として機能する。操作ボタン１３は、入力装置であり、火災受信機１０の操作に用いられる。なお、操作表示部１２に代えて、タッチパネルを備えない液晶ディスプレイなどの画面表示装置を火災受信機１０に設けてもよい。電話親機１４は、筐体１１に設けられた接続端子である電話ジャックに接続されて使用される。
【００１２】
本実施の形態の火災受信機１０は、非常放送設備６０と通信線８を介して接続される。火災受信機１０は、この通信線８と接続される接続端子Ｆ及び接続端子Ｔを備える。接続端子Ｆ及び接続端子Ｔは、非常放送設備６０に対して送信する信号の種類と同数設けられる。たとえば、火災受信機１０が複数階の建物を監視する場合には、階ごとの情報を非常放送設備６０に出力すべく、階数と同じ数の接続端子Ｆ及び接続端子Ｔを設けることができる。接続端子Ｆは、火災検出の信号を出力するものであり、接続端子Ｔは非常電話の着信信号を出力するものである。
【００１３】
火災受信機１０と電話中継器４０とは、伝送線５と電話線７とを介して接続される。図１では２本の伝送線５が火災受信機１０に接続され、それぞれの伝送線５に電話中継器４０が１台のみ接続されているが、１つの伝送線５に複数の電話中継器４０を接続することが可能である。また、火災受信機１０には２本の接続線からなる１組の電話線７が接続され、この電話線７が電話中継器４０の台数と同数に分岐され、分岐された線がそれぞれ電話中継器４０に接続される。すなわち、複数の電話中継器４０を火災報知システム１に設ける場合であっても、火災受信機１０から引き出される電話線７は１組である。電話線７を介して、電話中継器４０に接続される電話子機４と火災受信機１０の電話親機１４との間で、音声通話が行われる。
【００１４】
電話中継器４０は、電話親機１４と電話子機４との間に配置されて通話を中継する装置である。電話中継器４０には、複数の電話子機４が接続されうる。電話中継器４０と電話子機４とは、２本の接続線からなる電話線９で接続される。
【００１５】
（火災受信機１０の構成）
図２は、実施の形態１に係る火災受信機の構成を説明する図である。火災受信機１０は、操作表示部１２と、操作ボタン１３と、電話親機１４と、第１非常放送遮断スイッチ１５と、第２非常放送遮断スイッチ１６と、制御回路２０と、伝送回路２１と、電話回路２３と、短絡検出回路２４と、移報回路２５と、記憶装置２６とを備える。図２に示す火災受信機１０を構成する回路等は、筐体１１（図１参照）に収容又は設置される。
【００１６】
制御回路２０は、専用のハードウェア、またはメモリとＣＰＵ（Central Processing Unit）とを有するマイクロコンピュータで構成される。制御回路２０には、操作表示部１２、操作ボタン１３、第１非常放送遮断スイッチ１５、第２非常放送遮断スイッチ１６、伝送回路２１、電話回路２３、短絡検出回路２４、移報回路２５、記憶装置２６と接続される入出力ポートが設けられている。制御回路２０は、入出力ポートを介して、各回路を制御する。
【００１７】
伝送回路２１は、伝送線５に接続されており、火災感知器２の火災検知に伴って伝送線５に送信された火災信号を取得する。そして、伝送回路２１は、火災信号を制御回路２０に出力する。火災感知器２は、火災を検知している場合に火災信号の送信を継続し、火災が解消されたことを検知すると火災信号の送信を停止する。伝送回路２１は、火災信号を検出している間、制御回路２０に対して火災信号の出力を継続する。また、本実施の形態の伝送回路２１は、電話中継器４０から伝送線５に送信される、非常電話の着信信号、通話中信号、及び保留信号を検出して、検出した信号を制御回路２０に出力する。なお、それぞれの信号は、その信号を送信した電話中継器４０を特定できる情報（以下、アドレス番号とする）および電話中継器４０に接続される電話子機４を特定できる情報（以下、通番とする）を含み、火災受信機１０は、いずれの電話子機４から送信された信号か特定することができる。また、伝送回路２１は、電話子機４を呼び出す場合は、電話中継器４０に子機呼出信号を送信する。この信号にも上記と同様に呼出先の電話子機４を特定できるように電話中継器４０のアドレス番号と電話子機４の通番が含まれる。
【００１８】
電話回路２３は、電話親機１４と、電話中継器４０に接続される電話子機４との間で音声通話を可能とする回路である。電話回路２３は、火災受信機１０に設けられ電話親機１４の接続端子として機能する電話ジャックと、電話線７とに接続されている。電話線７は、２本の接続線で構成されており、電話回路２３と電話中継器４０とを接続する。電話回路２３は、電話親機１４が取り上げられたことを検出する回路である。また、電話回路２３は、電話親機１４から入力される音声を音声信号に変換して電話線７に出力するとともに、電話線７から入力される音声信号を音声に変換して電話親機１４に出力する。なお、音声を音声信号に変換すること、音声信号を音声に変換することは電話親機１４及び電話子機４側で行うようにしてもよい。
【００１９】
短絡検出回路２４は、電話回路２３を介して電話線７の短絡を検出する回路である。短絡検出回路２４は、電話線７の電圧を監視し、電話線７が短絡したことによって変化する電圧を検出することにより、電話線７の短絡を検出する。
【００２０】
移報回路２５は、非常放送設備６０に対して移報信号を送信する回路である。移報回路２５は、火災移報回路２５１と、非常電話移報回路２５２とを有する。火災移報回路２５１は、接続端子Ｆに接続されており、火災受信機１０が火災感知器２から火災の発報を受けたときに、非常放送設備６０に対して火災を知らせる移報信号を出力する。非常電話移報回路２５２は、接続端子Ｔに接続されており、電話子機４からの着信があった場合に、非常放送設備６０に対して非常電話の着信を知らせる移報信号を出力する。
【００２１】
記憶装置２６は、書き換え可能なＥＥＰＲＯＭ（Electrically Erasable Programmable Read-Only Memory）等のメモリである。記憶装置２６は、制御回路２０が実行するプログラムのほか、データベース２６１を記憶する。
【００２２】
第１非常放送遮断スイッチ１５は、火災移報回路２５１による非常放送設備６０への移報信号の出力の有無を切り替えるスイッチである。第２非常放送遮断スイッチ１６は、非常電話移報回路２５２による非常放送設備６０への移報信号の出力の有無を切り替えるスイッチである。第１非常放送遮断スイッチ１５及び第２非常放送遮断スイッチ１６は、操作者によってオン、オフが切り換えられる。例えば火災報知システム１の試験を行う場合に、第１非常放送遮断スイッチ１５及び第２非常放送遮断スイッチ１６がオフにされて、建物内に不要な非常放送を行わないようにする。
【００２３】
図３は、実施の形態１に係るデータベース２６１を説明する図である。データベース２６１は、非常放送設備６０と接続される接続端子Ｔを特定する情報（図３ではＴ１、Ｔ２、Ｔ３）と、電話中継器４０を特定する情報であるアドレス番号（図３ではＣ１、Ｃ２）と、電話中継器４０に接続される電話子機４を特定する情報である通番（図３ではＤ１１、Ｄ１２、Ｄ２１）と、を関連付けて記憶する。図３の例では、接続端子Ｔ１に対して、電話中継器Ｃ１及び電話子機Ｄ１１が関連付けられている。この例の場合、電話子機Ｄ１１からの着信があった場合に、接続端子Ｔ１から非常放送設備６０へと移報信号が出力される。
【００２４】
（電話中継器４０の構成）
図４は、実施の形態１に係る電話中継器４０の構成を説明する図である。電話中継器４０は、制御回路４１と、音生成回路４２と、伝送回路４３と、電話回路４５と、断線検出回路４６と、接点入力検出回路４８と、信号入力回路４７と、複数の電話ジャック４９と、通話ライン切替回路５０と、電話回路５１と、接点５２とを備える。
【００２５】
制御回路４１は、専用のハードウェア、またはメモリとＣＰＵ（Central Processing Unit）とを有するマイクロコンピュータで構成される。制御回路４１には、音生成回路４２、伝送回路４３、電話回路４５、断線検出回路４６、接点入力検出回路４８、信号入力回路４７、通話ライン切替回路５０、及び接点５２と接続される入出力ポートが設けられている。制御回路４１は、入出力ポートを介して、各回路を制御する。
【００２６】
音生成回路４２は、電話子機４を呼び出すために電話子機４に出力される呼び出し音声と、電話親機１４が話し中である場合に電話子機４に出力される通話中音と、通話を保留するときに出力される保留音とを生成する回路である。なお、通話中音と保留音を共通にする等、適宜共通の音としても良い。また、電話子機４を呼び出している間に電話親機１４に出力される呼び出し中音声を生成するようにしてもよい。音生成回路４２は、接点５２を介して、電話回路４５と通話ライン切替回路５０とを接続する接続線に、接続されている。接点５２がオンされると、音生成回路４２で生成された音声が、電話回路４５及び通話ライン切替回路５０にて接続された電話回路５１に出力される。
【００２７】
伝送回路４３は、伝送線５に接続されており、電話子機４からの着信があった場合に、着信を示す着信信号を伝送線５に送信する。この伝送線５には、図１、図２に示すように火災受信機１０が接続されており、電話中継器４０から火災受信機１０へと着信信号が伝わる。着信信号は、上記のように着信があった電話子機４を特定する情報を含んでいる。
【００２８】
電話回路４５は、電話線７を介して火災受信機１０と接続されており（図２参照）、電話子機４と、火災受信機１０の電話親機１４との間で音声通話を可能とする回路である。電話回路４５から引き出された接続線の一方は、通話ライン切替回路５０と接続される。電話回路４５から引き出された接続線の他方は、複数の電話ジャック４９のそれぞれに対応した電話回路５１に接続されている。電話回路４５は、電話子機４と、火災受信機１０の電話親機１４との間で音声通話を可能とする回路である。電話回路４５は、電話子機４から出力され電話線９を介して入力される音声を音声信号に変換して電話線７に出力するとともに、電話線７から入力される音声信号を音声に変換して電話回路５１に出力する。なお、上記のように、電話子機４で音声から音声信号への変換及び音声信号から音声への変換を行う場合は、該変換を電話回路４５が行わなくともよい。
【００２９】
断線検出回路４６は、電話線７の断線の有無を検出する回路であり、電話回路４５を介して電話線７と接続されている。図４に例示する断線検出回路４６は、接点４６１と、電流検出回路４６２とを備える。接点４６１を閉じたときに、電話線７に流れる電流が電流検出回路４６２で検出されるか否かにより、電話線７が断線していないかあるいは断線しているかが検出される。
【００３０】
信号入力回路４７は、電源線７１を介して設備機器７０と接続され、設備機器７０との間で制御信号の入出力を行う回路である。ここで、設備機器７０は、電話中継器４０を介して火災受信機１０と連動する機器である。設備機器７０の一例として、防火扉またはシャッターなどの防排煙装置、及び消火ポンプなどの消火装置が挙げられる。
【００３１】
接点入力検出回路４８は、電源線７１に接続された設備機器７０の接点がオンになったこと、すなわち設備機器７０が電話中継器４０に電気的に接続されたことを検出する回路である。
【００３２】
電話ジャック４９は、電話子機４の接続端子である。電話中継器４０には、複数の電話ジャック４９が設けられている。電話回路５１は、電話ジャック４９と同数設けられている。電話回路５１は、電話子機４の受話器が取り上げられたことを検出する回路である。また、電話回路５１は、電話子機４と電話回路４５との間で音声及び音声信号を中継する回路である。電話回路５１は、電話回路４５同様、音声及び音声信号の変換を電話子機４で行う場合は、該変換を行わなくともよい。
【００３３】
通話ライン切替回路５０は、複数の電話回路５１のいずれかを選択的に電話回路４５と接続する回路である。通話ライン切替回路５０は、それぞれ電話回路５１と接続された接点５０１、５０２、５０３を有しており、接点５０１、５０２、５０３のいずれかが閉じられると、閉じられた接点に対応する電話回路５１と電話回路４５とが接続される。
【００３４】
（火災報知システム１の動作）
まず、１台の電話子機４と電話親機１４との間で１対１の通話を行う例を示す。電話中継器４０の複数の電話ジャック４９のいずれかに、電話子機４が接続されているものとする。電話中継器４０に接続された電話子機４の受話器が取り上げられると、その電話子機４が接続された電話回路４５が検出し、制御回路４１に出力される。制御回路４１から制御出力を受けた通話ライン切替回路５０によって、受話器が取り上げられた電話子機４に対応する電話回路５１と電話回路４５とが接続される。そして、伝送回路４３を介して、着信を示す着信信号が伝送線５に送られる。また、接点５２がオンされて、音生成回路４２で生成された保留音が、電話子機４に出力される。
【００３５】
火災受信機１０は、伝送回路２１を介して電話中継器４０からの着信信号を検出すると、操作表示部１２に着信を示す情報を表示するとともに、着信を示す音声をスピーカなどから出力する。これにより、火災受信機１０の監視者は、電話子機４からの非常電話の着信を把握することができる。このとき、操作表示部１２に、着信のあった電話子機４を特定する情報、例えば電話子機４が設置されている建物の棟、階、区域、及び番地などを表示する。監視者が電話親機１４の受話器をとると、電話親機１４と電話子機４との間で、電話線７を介して音声通話が行われる。伝送回路２１を介して電話子機４からの着信を検出すると、移報回路２５によって、着信した電話子機４に対応した接続端子Ｔから非常放送設備６０へと移報信号が出力される。非常電話の移報信号を取得した非常放送設備６０は、定められた非常放送を行う。
【００３６】
なお、上記動作では、電話親機１４と電話子機４との接続が受話器を取り上げるだけで自動的に行われるようになっているが、火災受信機１０の操作表示部１２の操作を行ったときに接続されるようにしてもよい。具体的には、通話ライン切替回路５０による電話回路５１と電話回路４５との接続は、着信信号を受信した火災受信機１０の操作表示部１２に表示される着信を示す情報部分を操作すると、火災受信機１０から電話中継器４０に接続制御信号が送信され、その信号を受信すると接続する。このようにすることで、複数の電話子機４の受話器が取り上げられたときに、どの電話子機４と通話するか選択することができる。
【００３７】
次に、電話親機１４から電話子機４を呼び出す場合の動作を説明する。電話中継器４０の電話ジャック４９には、電話子機４が接続されているものとする。火災受信機１０の操作表示部１２には、火災報知システム１に接続されたすべての電話子機４の情報が表示される。電話子機４の情報を、各電話子機４が設置された建物の棟、階、区域、及び番地を用いて、操作表示部１２に表示してもよい。このようにすることで、操作者は、操作表示部１２に表示される情報を用いて、呼び出したい電話子機４を直感的に選択することができる。操作表示部１２によって電話子機４が特定され、電話親機１４の受話器が取り上げられると、その特定の電話子機４が接続された電話中継器４０に対して、伝送回路２１から伝送線５を介して、呼出先の電話子機４を特定する情報を含む発信信号が送出される。この発信信号は、電話中継器４０の伝送回路４３によって受信される。
【００３８】
発信信号を受信した電話中継器４０においては、呼び出された電話子機４が話し中でなければ、音生成回路４２によって呼出音が生成される。また、通話ライン切替回路５０によって、呼び出された電話子機４の電話回路５１と、電話回路４５とが接続される。さらに接点５２がオンされ、音生成回路４２が生成した呼び出し音が、電話子機４に出力される。呼び出し音を聞いた操作者が電話子機４の受話器を取ると、電話子機４と電話親機１４との間で、音声通話が行われる。
【００３９】
発信信号を受信した電話中継器４０において、呼び出された電話子機４の受話器が取り上げられている状態であれば、制御回路４１によって通話中信号が生成され、生成された通話中信号が伝送回路４３を介して火災受信機１０に送信される。通話中信号を受信した火災受信機１０は、通話中あるいは電話子機４の受話器が取り上げられていることを示す情報を、操作表示部１２に表示する。
【００４０】
次に、電話親機１４と、１台の電話中継器４０に接続された２台の電話子機４との間で通話する場合の動作を説明する。まず、１台の電話子機４と電話親機１４とで通話中であるものとする。電話中継器４０の通話ライン切替回路５０は、通話中の電話子機４と電話回路４５とを接続している状態である。このときに、他の電話子機４の受話器が取り上げられると、通話ライン切替回路５０は、受話器が取り上げられた他の電話子機４に対応する接点を閉じ、電話回路４５と他の電話子機４に対応した電話回路５１とを接続する。これにより、２台の電話子機４と電話親機１４との間で音声通話が行われる。なお、上記のように、火災受信機１０の操作表示部１２の操作に基づき、選択した２台の電話子機４と電話親機１４との間で音声通話が行われるようにしてもよい。
【００４１】
次に、火災受信機１０の電話親機１４が、一の電話中継器４０（区別のため電話中継器４０Ａと称する）に接続された電話子機４との間で通話中である場合に、他の電話中継器４０（区別のため電話中継器４０Ｂと称する）の電話子機４の受話器が取り上げられた場合の動作を説明する。電話中継器４０Ａに接続された電話子機４と電話親機１４とが通話中に、電話中継器４０Ｂに接続された電話子機４の受話器が取り上げられたとする。電話中継器４０Ｂは、通話ライン切替回路５０によって電話回路４５と受話器が取り上げられた電話子機４の電話回路５１とを接続する。また、電話中継器４０Ｂは、伝送回路４３及び伝送線５を介して、火災受信機１０に非常電話の着信を知らせる。火災受信機１０は、電話親機１４が電話中継器４０Ａの電話子機４と話し中であるので、電話中継器４０Ｂに伝送線５を介して通話中信号を送る。電話中継器４０Ｂの音生成回路４２は、通話中信号を受けると通話中音を生成し、生成された通話中音はオン状態の接点５２を介して電話子機４に出力される。これにより、電話中継器４０Ｂに接続された電話子機４の受話器を取り上げた人は、通話中音を聞くことができ、電話親機１４が話し中であることを把握することができる。
【００４２】
次に、非常電話の通話を保留する場合の動作を説明する。電話親機１４と電話子機４とで通話中であるものとする。電話親機１４にて通話を保留する場合には、操作者は、火災受信機１０又は電話親機１４に設けられた図示しない保留ボタンを押す。保留ボタンが押されると、火災受信機１０の伝送回路２１から伝送線５へ、保留信号が送信される。伝送線５を介して保留信号を受信した電話中継器４０では、音生成回路４２によって保留音が生成されこの保留音がオン状態の接点５２を介して電話子機４に出力される。これにより、電話子機４の操作者は、電話親機１４が保留状態となったことを把握することができる。また、電話子機４にて通話を保留する場合には、操作者は、電話中継器４０又は電話子機４に設けられた保留ボタンを押す。保留ボタンが押されると、電話中継器４０の伝送回路４３から伝送線５へ、保留信号が送信される。伝送線５を介して保留信号を受信した火災受信機１０の操作表示部１２には、電話子機４が保留状態であることを示す情報が表示される。
【００４３】
次に、火災検出と非常電話の通話とが同時期に発生した場合の動作を説明する。火災感知器２が火災を検出すると、伝送線５に火災信号が送信され、火災受信機１０に火災信号が伝わる。火災信号を受けた火災受信機１０は、操作表示部１２に、火災の発生と火災を検知した火災感知器２の設置場所等を知らせる情報を出力するとともに、警報音を出力する。これにより、火災受信機１０の監視者は、火災の発生を把握することができる。続けて、電話子機４の受話器が取り上げられると、上述のように電話子機４と火災受信機１０の電話親機１４とが接続されて、電話子機４と電話親機１４との間で音声通話が可能となる。
【００４４】
図５は、実施の形態１に係る操作表示部１２の表示例を説明する図である。図５（ａ）は、火災発報を受けたが電話子機４からの着信を受けていない状態の操作表示部１２の表示例である。操作表示部１２の表示画面の一部である第１領域１２１には、火災の発生を知らせる情報が表示される。この状態で、さらに電話子機４からの着信を受けると、図５（ｂ）に示すように、第１領域１２１の一部分に、火災の発生を知らせる情報が表示され、第１領域１２１の残りの部分に、電話子機４からの着信を知らせる情報が表示される。このように、定められた領域である第１領域１２１に、火災受信機１０が受信した情報を表示し、受信した情報が複数ある場合には第１領域１２１を分割して複数の情報を表示する。したがって、監視者は、定められた領域である第１領域１２１に着目することで、監視領域からの情報を得ることができる。火災受信機１０が複数の情報を受信した場合には、第１領域１２１に複数の情報が表示されるため、監視者は同時に複数の情報を把握することができる。
【００４５】
なお、図５の例とは異なり、非常電話の着信があった後に火災が検出された場合には、まず第１領域１２１に非常電話の着信を知らせる情報が表示される。続けて火災が検出されると、第１領域１２１の一部に非常電話の着信、残りに火災の発生を知らせる情報が表示される。また、火災報知システム１に、防排煙装置又は消火装置などの端末装置が接続されている場合であって、端末装置が作動した場合には、図５の例に倣って第１領域１２１に端末装置が作動したことを示す情報を表示してもよい。さらに、火災報知システム１にガス漏れ検知器が接続されている場合であって、ガス漏れが検知された場合には、同じく図５の例に倣って第１領域１２１に端末装置が作動したことを示す情報を表示してもよい。ここで例示した複数の情報、例えば４以上の情報を火災受信機１０が受信した場合には、第１領域１２１を４分割した領域のそれぞれに、情報を表示するようにしてもよい。
【００４６】
次に、火災報知システム１を構成する電話中継器４０の台数又は電話子機４の台数を増減させる場合の、設定の仕方を説明する。図３に示したように、火災受信機１０の記憶装置２６には、データベース２６１が格納されている。電話中継器４０と電話子機４のいずれか又は両方の台数を増減する場合には、操作者は、データベース２６１を書き換える。データベース２６１の書き換えは、例えば火災受信機１０に接続したパソコン又は専用端末を用いて行われる。火災受信機１０のデータベース２６１の書き換えを行うことで、非常放送設備６０に接続される接続端子Ｆと、電話中継器４０及び電話子機４とを対応づけることができる。このため、既存の火災報知システム１に対して、電話中継器４０及び電話子機４を増設しやすい。また、本実施の形態の火災受信機１０は、データベース２６１を書き換えることで、少回線にも多回線にも対応することができる。
【００４７】
次に、電話線７の断線を検出する際の動作を説明する。電話線７の断線の検出は、火災受信機１０からの指示によって実行される。火災受信機１０は、自機に接続された電話中継器４０に対して、断線検出を指示する断線検出信号を、伝送線５を介して送信する。火災受信機１０から電話中継器４０への断線検出信号の送出は、定期的に行われる。火災受信機１０に対して複数の電話中継器４０が接続されている場合には、それぞれの電話中継器４０に対して重複しないタイミングで断線検出信号が送信される。断線検出信号を受信した電話中継器４０は、断線検出回路４６の接点４６１を閉じ、このときに電流検出回路４６２によって検出される電流の値に基づいて、断線の有無を判定する。そして、電話線７の断線の有無に関する情報が、伝送線５を介して火災受信機１０に送信される。
【００４８】
なお、電話線７の短絡は、例えば火災受信機１０によって監視される。火災受信機１０は、電話線７に印加される電圧を監視し、電圧が閾値以下になると電話線７が短絡したことを検出する。
【００４９】
以上のように、本実施の形態によれば、火災受信機１０が非常電話装置の機能を備えているため、火災受信機１０とは別に非常電話装置を設置する必要がない。このため、火災受信機と非常電話装置の機能を備えた装置を設置する領域を、従来と比べて小さくすることができる。したがって、火災受信機１０が設置される部屋の大きさの自由度が高まる。
【００５０】
また、非常電話装置として機能する火災受信機１０からは、２本の接続線からなる電話線７が１組のみ引き出されて、電話中継器４０に接続される。電話子機４の台数が複数であっても、火災受信機１０に接続される電話線７は１組のみである。したがって、火災受信機１０の周囲の配線の複雑化が抑制され、配線に係るコストを低減できる。
【００５１】
また、本実施の形態の電話中継器４０は、音生成回路４２を備え、音生成回路４２で生成された音声が電話子機４に出力される。電話子機４に出力する通話中音又は保留音などの音声は、電話中継器４０の音生成回路４２にて生成され、火災受信機１０は電話中継器４０ごとに音声を生成する必要がない。このため、複数の電話中継器４０が火災報知システム１に設けられる場合でも、火災受信機１０の処理負荷が大きくなることはない。また、通話中音又は保留音などの音声は、火災受信機１０と電話中継器４０とを接続する電話線７を流れないので、電話線７を用いた通話中にノイズが生じるのを抑制することができる。
【００５２】
実施の形態２．
本実施の形態では、分散型火災報知システム１００を説明する。本実施の形態では、実施の形態１との相違点を中心に説明する。
【００５３】
（分散型火災報知システム１００のシステム構成）
図６は、実施の形態２に係る分散型火災報知システム１００のシステム構成図である。分散型火災報知システム１００は、火災受信機１０と主中継器８０とを有し、火災受信機１０と主中継器８０とが通信ネットワークによって接続されている。具体的には、火災受信機１０と主中継器８０とは、通信線９０及び音声信号線９１によって接続されている。火災受信機１０は、通信線９０及び音声信号線９１との接続に関する構成を除き、実施の形態１で説明した火災受信機１０と同じ構成である。本実施の形態では、区別のため、火災受信機１０に接続される伝送線を第１伝送線５Ａと称し、主中継器８０に接続される伝送線を第２伝送線５Ｂと称する。なお、図６では分散型火災報知システム１００に１台の主中継器８０が接続された例を示すが、複数台の主中継器８０が接続されていてもよい。また、図６では、区別のために火災受信機１０に接続された電話中継器を符号４０Ａで示し、主中継器８０に接続された電話中継器を符号４０Ｂで示している。電話中継器４０Ａ及び電話中継器４０Ｂは、実施の形態１で説明した電話中継器４０と同じ構成である。
【００５４】
主中継器８０は、第２伝送線５Ｂを介して火災感知器２及び電話中継器４０と接続される。主中継器８０は、第２伝送線５Ｂに接続された火災感知器２からの火災信号を受けると、通信線９０を介して火災の発生を知らせる信号を火災受信機１０に送信する。また、主中継器８０は、電話中継器４０Ｂに接続された電話子機４と、火災受信機１０の電話親機１４との間で、音声通話を中継する。
【００５５】
通信線９０は、例えばメタル配線又は光配線であり、火災受信機１０と主中継器８０との間で通信信号を伝送する。音声信号線９１は、２本の接続線からなり、火災受信機１０と主中継器８０との間で音声信号を伝送する。なお、音声信号線９１を１本の光配線とすることもできる。
【００５６】
（火災受信機１０の構成）
図７は、実施の形態２に係る火災受信機１０の構成を説明する図である。火災受信機１０は、実施の形態１で説明した構成に加え、第１信号変換回路２７と、第２信号変換回路２８とを備える。第１信号変換回路２７は、電話親機１４から電話回路２３に入力された音声に対応する音声信号を、音声信号線９１を用いた通信に適用される通信プロトコルに対応した信号に変換し、変換した信号を音声信号線９１に送出する回路である。第２信号変換回路２８は、第１伝送線５Ａを介して取得した情報を、通信線９０を用いた通信に適用される通信プロトコルに対応した信号に変換し、変換した信号を通信線９０に送出する回路である。
【００５７】
（主中継器８０の構成）
図８は、実施の形態２に係る主中継器８０の構成を説明する図である。主中継器８０は、制御回路８１と、記憶装置８２と、伝送回路８３と、電話回路８５と、短絡検出回路８６と、第１信号変換回路８７と、第２信号変換回路８８とを備える。
【００５８】
制御回路８１は、専用のハードウェア、またはメモリとＣＰＵ（Central Processing Unit）とを有するマイクロコンピュータで構成される。制御回路８１には、記憶装置８２、伝送回路８３、電話回路８５、短絡検出回路８６、第１信号変換回路８７、第２信号変換回路８８と接続される入出力ポートが設けられている。制御回路８１は、入出力ポートを介して、各回路を制御する。
【００５９】
伝送回路８３、電話回路８５及び短絡検出回路８６は、実施の形態１及び図７で説明した火災受信機１０の伝送回路２１、電話回路２３、短絡検出回路２４と同じ機能を有する。第１信号変換回路８７及び第２信号変換回路８８は、図７で説明した火災受信機１０の第１信号変換回路２７及び第２信号変換回路２８と同じ機能を有する。図７と図８とを比べて分かるように、主中継器８０は、火災受信機１０が備える操作表示部１２及び操作ボタン１３、非常放送設備６０（図１参照）と接続するための構成、並びに電話親機１４を備えていない。主中継器８０の主たる機能は、自機に接続された第２伝送線５Ｂに接続されている火災感知器２及び電話中継器４０からの各種信号を、火災受信機１０に送信することである。
【００６０】
（電話中継器４０）
本実施の形態の分散型火災報知システム１００に接続される電話中継器４０Ａ、４０Ｂは、実施の形態１で説明した電話中継器４０と基本的な機能が同じである。
【００６１】
（分散型火災報知システム１００の動作）
主中継器８０に接続された電話中継器４０Ｂの電話子機４と、火災受信機１０の電話親機１４との間で通話を行う場合の動作を説明する。電話中継器４０Ｂに接続された電話子機４の受話器が取り上げられると、実施の形態１で説明したように、電話中継器４０Ｂから主中継器８０へ第２伝送線５Ｂを介して着信を示す信号である着信信号が送られる。電話子機４からの着信信号を受けた主中継器８０は、第２信号変換回路８８によって着信信号を通信線９０の通信プロトコルに対応した信号に変換し、通信線９０に送出する。火災受信機１０は、通信線９０を介して受信した着信信号を受けると、操作表示部１２に着信を示す情報を表示するとともに、着信を示す音声を出力する。これにより、火災受信機１０の監視者は、電話子機４からの非常電話の着信を把握することができる。監視者が電話親機１４の受話器をとると、電話親機１４と電話子機４との間で、音声信号線９１及び電話線７を介して音声通話が行われる。火災受信機１０に非常放送設備６０（図１参照）が接続されている場合には、実施の形態１で説明したとおり火災受信機１０から非常放送設備６０へ移報信号が送信される。
【００６２】
次に、電話親機１４と、１台の電話中継器４０Ｂに接続された２台の電話子機４との間で通話する場合の動作を説明する。まず、電話中継器４０Ｂに接続された１台の電話子機４と電話親機１４とで通話中であるものとする。このときに、他の電話子機４の受話器が取り上げられると、電話中継器４０Ｂは、受話器が取り上げられた他の電話子機４を、電話線７を介して主中継器８０と接続する。これにより、２台の電話子機４と電話親機１４との間で、電話線７及び音声信号線９１を介して音声通話が行われる。
【００６３】
次に、火災受信機１０の電話親機１４が、電話中継器４０Ａに接続された電話子機４との間で通話中である場合に、他の電話中継器４０Ｂの電話子機４の受話器が取り上げられた場合の動作を説明する。まず、電話中継器４０Ａに接続された電話子機４と電話親機１４とが通話中であるものとする。電話中継器４０Ｂは、受話器が取り上げられた電話子機４を、電話線７を介して主中継器８０に接続する。また、電話中継器４０Ｂは、第２伝送線５Ｂを介して主中継器８０に非常電話の着信を知らせる。主中継器８０は、通信線９０を介して着信信号を火災受信機１０に送信する。火災受信機１０は、電話親機１４が電話中継器４０Ａの電話子機４と話し中であるので、主中継器８０に通信線９０を介して通話中信号を送る。主中継器８０は、第２伝送線５Ｂを介して通話中信号を電話中継器４０Ｂに送る。電話中継器４０Ｂは、通話中信号を受けると通話中音を生成し、生成された通話中音が電話子機４に出力される。これにより、電話子機４の受話器を取り上げた人は、通話中音を聞くことができ、電話親機１４が話し中であることを把握することができる。
【００６４】
以上のように、本実施の形態によれば、分散型火災報知システム１００において、実施の形態１と同様の効果を得ることができる。なお、分散型火災報知システム１００において、火災受信機１０の電話親機１４と電話中継器４０Ａに接続された電話子機４との間で行われる非常電話の通話に係る動作は、実施の形態１で説明したものと同じである。
【００６５】
（変形例）
図１では、火災受信機１０に、非常放送設備６０と接続する接続端子Ｆ及び接続端子Ｔが複数設けられることを説明した。複数の接続端子Ｆ及び接続端子Ｔを火災受信機１０に設置することに代えて、接続端子Ｆ及び接続端子Ｔを増設する中継器を、非常放送設備と火災受信機１０との間に配置してもよい。
【符号の説明】
【００６６】
１  火災報知システム、２  火災感知器、３  感知器用中継器、４  電話子機、５  伝送線、５Ａ  第１伝送線、５Ｂ  第２伝送線、７  電話線、８  通信線、９  電話線、１０  火災受信機、１１  筐体、１２  操作表示部、１３  操作ボタン、１４  電話親機、１５  第１非常放送遮断スイッチ、１６  第２非常放送遮断スイッチ、２０  制御回路、２１  伝送回路、２３  電話回路、２４  短絡検出回路、２５  移報回路、２６  記憶装置、２７  第１信号変換回路、２８  第２信号変換回路、４０  電話中継器、４０Ａ  電話中継器、４０Ｂ  電話中継器、４１  制御回路、４２  音生成回路、４３  伝送回路、４５  電話回路、４６  断線検出回路、４７  信号入力回路、４８  接点入力検出回路、４９  電話ジャック、５０  通話ライン切替回路、５１  電話回路、５２  接点、６０  非常放送設備、７０  設備機器、７１  電源線、８０  主中継器、８１  制御回路、８２  記憶装置、８３  伝送回路、８５  電話回路、８６  短絡検出回路、８７  第１信号変換回路、８８  第２信号変換回路、９０  通信線、９１  音声信号線、１００  分散型火災報知システム、１２１  第１領域、２５１  火災移報回路、２５２  非常電話移報回路、２６１  データベース、４６１  接点、４６２  電流検出回路、５０１  接点、５０２  接点、５０３  接点、Ｆ  接続端子、Ｔ  接続端子。
【図１】
2020166474.tif 000003
【図２】
2020166474.tif 000004
【図３】
2020166474.tif 000005
【図４】
2020166474.tif 000006
【図５】
2020166474.tif 000007
【図６】
2020166474.tif 000008
【図７】
2020166474.tif 000009
【図８】
2020166474.tif 000010